(57)【要約】【課題】蓋側シェルにある程度の重みのある荷物を収容した状態でもファスナーを簡単に閉じることができるファスナー式スーツケースの提供。【解決手段】蓋側シェルの沈み込み防止機構として、剛性の支持部材１４を身側シェル４に回動自在に取付け、蓋側シェル３側に当接部材１８を取り付ける。当接部材１８の天部１８ａは、支持部材１４が身側シェル４の縁部４ａと蓋側シェル３の縁部３ａを跨ぐ持上げ姿勢になったときにその頂部１４ａ上に当たる位置に調整されている。従って、蓋側シェル３に重みがあると、蓋側シェル３に固定された天部１８ａを介して支持部材１４が支えることになり、蓋側シェル３側のエレメント９ａが身側シェル４ａ側のエレメント９ｂと突合せ状態となるので、ファスナー１０のスムーズな移動が可能となる。【選択図】        図３
2015223205.tif 000002
【特許請求の範囲】
【請求項１】
箱状の蓋側シェルと箱状の身側シェルとが折畳み・展開自在に連設されて成る本体と、前記蓋側シェルと前記身側シェルの両縁部側にそれぞれ設けられたエレメントどうしを噛合させて閉じるファスナーとを備えたファスナー式スーツケースにおいて、
蓋側シェルの沈み込み防止機構として、
剛性の支持部材と、前記支持部材を前記蓋側シェルの縁部と前記身側シェルの縁部とを跨いだ持上げ姿勢と前記身側シェル側に退避する退避姿勢とに姿勢制御する姿勢変更手段と、前記身側シェル側に設けられ、持上げ姿勢時に前記持上げ部に当接して前記蓋側シェルの重みを渡す当接部を備え、
持上げ姿勢では、前記支持部材が、前記蓋側シェル側の重みに抗して前記蓋側シェルを持上げ、前記エレメントどうしの突合せ状態が強制的に作り出されることを特徴とするスーツケース。
【請求項２】
請求項１に記載したファスナー式スーツケースにおいて、
姿勢変更手段は、身側シェル側を支点として、蓋側シェルの縁部と前記身側シェルの縁部とを跨いだ持上げ姿勢と、前記身側シェル側に退避する退避姿勢との間で前記支持部材を回動させるものであることを特徴とするスーツケース。
【請求項３】
請求項２に記載したファスナー式スーツケースにおいて、
姿勢変更手段は、身側シェルに回動自在に内外方向に貫通支持され、そのシェル内側に支持部材の基端部が取り付けられた回転軸と、前記回転軸のシェル外側に設けられた操作部とで構成されることを特徴とするスーツケース。
【請求項４】
請求項２または３に記載したファスナー式スーツケースにおいて、
当接部は、断面逆凹状部材で構成されており、その逆凹内部に支持部材の回動軌道が位置することを特徴とするスーツケース。
【請求項５】
請求項２または３に記載したファスナー式スーツケースにおいて、
当接部は、蓋側シェル側のファスナーテープと前記蓋側シェル側との間にできた凹状部分で構成されていることを特徴とするスーツケース。
【請求項６】
請求項２または３に記載したファスナー式スーツケースにおいて、
スーツケースには、身側シェルと蓋側シェルのそれぞれの縁部には、ファスナーテープ側に延出するカバー片が取付けられており、
当接部は、前記蓋側シェル側のカバー片とファスナーテープとの間にできた凹状部分で構成されていることを特徴とするスーツケース。
【請求項７】
箱状の蓋側シェルと箱状の身側シェルとが折畳み・展開自在に連設されて成る本体と、前記蓋側シェルと前記身側シェルの両縁部側にそれぞれ設けられたエレメントどうしを噛合させて閉じるファスナーと、前記身側シェルと前記蓋側シェルのそれぞれの縁部に取付けられ、前記ファスナーテープ側に延出するカバー片を備えたファスナー式スーツケース用の蓋側シェルの沈み込み防止機構の一部を構成する剛性の支持部材であって、
前記身側シェル側のカバー片と前記ファスナーテープとの間にできた凹状部分と前記蓋側シェル側のカバー片と前記ファスナーテープとの間にできた凹状部分に前記支持部材の両端部を差込むことで、前記支持部材を持上げ姿勢にすると共に、前記蓋側シェル側の凹状部分を当接部として利用して、持上げ姿勢時に前記支持部材に当接して前記蓋側シェルの重みを渡すことで、前記支持部材が、前記蓋側シェル側の重みに抗して前記蓋側シェルを持上げ、前記エレメントどうしの突合せ状態が強制的に作り出されることを特徴とする専用の支持部材。
【発明の詳細な説明】
【技術分野】
【０００１】
本発明はスーツケースに係り、特に蓋側シェルと身側シェルの合わせ部どうしをファスナーにより閉じるファスナー式スーツケースに関するものである。
【背景技術】
【０００２】
近年、特許文献１に記載されているような蓋側シェルと身側シェルの合わせ部どうしをファスナーによって閉じるファスナー式スーツケースが登場している。このファスナー式スーツケースはフレームを備えていないため軽量であるという長所を有している。
【先行技術文献】
【特許文献】
【０００３】
【特許文献１】特開２０１３−１５０６４９号公報
【発明の概要】
【発明が解決しようとする課題】
【０００４】
図７に示すように、従来のファスナー式スーツケース１０１では、閉じるときに蓋側シェル１０２を身側シェル１０３側に倒すと、蓋側シェル１０２側に収容した荷物の重みで、蓋側シェル１０２の合わせ部である縁部が身側シェル１０３に対して沈み込む場合がある。
而して、ファスナー式では、ファスナー１０４のテープ１０５ａ、１０５ｂが、蓋側シェル１０２と身側シェル１０３のそれぞれの縁部に取り付けられているので、上記した沈み込みが起こると、テープ１０５ａ、１０５ｂどうしが重なり合い、それぞれの縁に取り付けられたエレメント（務歯）１０６ａ、１０６ｂが対向せず、スライダーが移動できなくなるので、エレメント１０６ａ、１０６ｂどうしを噛合させていくことができない。
従って、蓋側シェル１０２が重い場合には、片方の手で蓋側シェル１０２を持ち上げて、エレメント１０６ａ、１０６ｂどうしを無理やり対向させて、もう片方の手でスライダーを移動させて噛合させていたが、かなり面倒である上に、腕力のない女性などでは重い蓋側シェル１０２を片手で持ち上げるのが難しい場合がある。
【０００５】
本発明は上記従来の問題点に着目して為されたものであり、蓋側シェルにある程度の重みのある荷物を収容した状態でも、ファスナーを簡単に閉じることができるファスナー式スーツケースの提供を、その目的とする。
【課題を解決するための手段】
【０００６】
本発明は上記課題を解決するためになされたものであり、請求項１の発明は、箱状の蓋側シェルと箱状の身側シェルとが折畳み・展開自在に連設されて成る本体と、前記蓋側シェルと前記身側シェルの両縁部側にそれぞれ設けられたエレメントどうしを噛合させて閉じるファスナーとを備えたファスナー式スーツケースにおいて、蓋側シェルの沈み込み防止機構として、剛性の支持部材と、前記支持部材を前記蓋側シェルの縁部と前記身側シェルの縁部とを跨いだ持上げ姿勢と前記身側シェル側に退避する退避姿勢とに姿勢制御する姿勢変更手段と、前記身側シェル側に設けられ、持上げ姿勢時に前記持上げ部に当接して前記蓋側シェルの重みを渡す当接部を備え、持上げ姿勢では、前記支持部材が、前記蓋側シェル側の重みに抗して前記蓋側シェルを持上げ、前記エレメントどうしの突合せ状態が強制的に作り出されることを特徴とするスーツケースである。
【０００７】
請求項２の発明は、請求項１に記載したファスナー式スーツケースにおいて、姿勢変更手段は、身側シェル側を支点として、蓋側シェルの縁部と前記身側シェルの縁部とを跨いだ持上げ姿勢と、前記身側シェル側に退避する退避姿勢との間で前記支持部材を回動させるものであることを特徴とするスーツケースである。
【０００８】
請求項３の発明は、請求項２に記載したファスナー式スーツケースにおいて、姿勢変更手段は、身側シェルに回動自在に内外方向に貫通支持され、そのシェル内側に支持部材の基端部が取り付けられた回転軸と、前記回転軸のシェル外側に設けられた操作部とで構成されることを特徴とするスーツケースである。
【０００９】
請求項４の発明は、請求項２または３に記載したファスナー式スーツケースにおいて、当接部は、断面逆凹状部材で構成されており、その逆凹内部に支持部材の回動軌道が位置することを特徴とするスーツケースである。
【００１０】
請求項５の発明は、請求項２または３に記載したファスナー式スーツケースにおいて、当接部は、蓋側シェル側のファスナーテープと前記蓋側シェル側との間にできた凹状部分で構成されていることを特徴とするスーツケースである。
【００１１】
請求項６の発明は、請求項２または３に記載したファスナー式スーツケースにおいて、スーツケースには、身側シェルと蓋側シェルのそれぞれの縁部には、ファスナーテープ側に延出するカバー片が取付けられており、当接部は、前記蓋側シェル側のカバー片とファスナーテープとの間にできた凹状部分で構成されていることを特徴とするスーツケースである。
【００１２】
請求項７の発明は、箱状の蓋側シェルと箱状の身側シェルとが折畳み・展開自在に連設されて成る本体と、前記蓋側シェルと前記身側シェルの両縁部側にそれぞれ設けられたエレメントどうしを噛合させて閉じるファスナーと、前記身側シェルと前記蓋側シェルのそれぞれの縁部に取付けられ、前記ファスナーテープ側に延出するカバー片を備えたファスナー式スーツケース用の蓋側シェルの沈み込み防止機構の一部を構成する剛性の支持部材であって、前記身側シェル側のカバー片と前記ファスナーテープとの間にできた凹状部分と前記蓋側シェル側のカバー片と前記ファスナーテープとの間にできた凹状部分に前記支持部材の両端部を差込むことで、前記支持部材を持上げ姿勢にすると共に、前記蓋側シェル側の凹状部分を当接部として利用して、持上げ姿勢時に前記支持部材に当接して前記蓋側シェルの重みを渡すことで、前記支持部材が、前記蓋側シェル側の重みに抗して前記蓋側シェルを持上げ、前記エレメントどうしの突合せ状態が強制的に作り出されることを特徴とする専用の支持部材である。
【発明の効果】
【００１３】
本発明のファスナー式スーツケースによれば、簡単な構成の蓋側シェルの沈み込み防止機構を備えたことで、蓋側シェルにある程度の重みのある荷物を収容した状態でもファスナーを簡単に閉じることができるようになっている。
また、本発明の沈み込み防止機構によれば、ファスナー式スーツケースの既存の構造を上手く利用することで、簡単に構築できる。
【図面の簡単な説明】
【００１４】
【図１】本発明の第１の実施の形態に係る沈み込み防止機構を備えたファスナー式スーツケースの斜視図である。
【図２】図１の沈み込み防止機構の拡大斜視図である。
【図３】図１の沈み込み防止機構の説明図である。
【図４】本発明の第２の実施の形態に係る沈み込み防止機構の説明図である。
【図５】本発明の第３の実施の形態に係る沈み込み防止機構の説明図である。
【図６】本発明の第４の実施の形態に係る沈み込み防止機構の説明図である。
【図７】従来のファスナー式スーツケースの斜視図である。
【発明を実施するための形態】
【００１５】
本発明の第１の実施の形態に係るファスナー式スーツケース１を図面にしたがって説明する。
図１で符号２は本体を示し、この本体２は箱状の蓋側シェル３と箱状の身側シェル４とが折畳み・展開自在に連設されて成る。本体２には４つのキャスター５、持ち手６等が設けられている。
【００１６】
本体２が折り畳まれると、蓋側シェル３の縁部３ａと身側シェル４の縁部４ａが合わされ、この合わされた縁部３ａ、４ａがファスナー７によって閉じられるようになっている。
図３（Ａ）、（Ｂ）に詳細に示すように、ファスナー７は、一対のテープ８ａ、８ｂを備え、この一対のテープ８ａ、８ｂの対向縁にエレメント（務歯）９ａ、９ｂが固定されている。スライダー１０がこのエレメント９ａ、９ｂに跨るように設けられており、このスライダー１０が移動することでエレメント９ａ、９ｂどうしが噛合したり、その噛合が解除されたりする。
【００１７】
上記したファスナー７の一対のテープ８ａ、８ｂが、蓋側シェル３の縁部３ａと身側シェル４の縁部４ａにそれぞれ取り付けられている。
符号１１ａ、１１ｂは帯状のカバー片を示し、カバー片１１ａが蓋側シェル３側に、カバー片１１ｂが身側シェル４側に配されている。
カバー片１１ａ、１１ｂは短手方向がＳ字を成すように折られている。
【００１８】
蓋側シェル３の縁部３ａには、このカバー片１１ａのＳ字状部分の一方の小さい方の凹部が下側から嵌り込んでおり、残りの大きい方の凹部にはテープ８ａの縁（エレメント９ａが固定されていない方の縁）が入り込んで縁部３ａ側に重ね合されている。この状態で、糸１２によって、テープ８ａとカバー片１１ａが蓋側シェル３の縁部３ａに縫着されて一体になっている。カバー片１１ａのうち、大きい凹部は、テープ８ａ側への折り返し部分がテープ８ａ上に延出しており、覆い部１３ａとなって、テープ８ａをカバーしている。
身側シェル４の縁部４ａでも、同様の構成にて、テープ８ｂとカバー片１１ｂとが糸１２で縫着されて、覆い部１３ｂが形成されている。
【００１９】
ファスナー式スーツケース１は、上記したようなスーツケースとしての構成を備えており、次に、付設された沈み込み防止機構について説明する。
図２で符号１４は支持部材を示し、この支持部材１４はプラスチック等の剛性の板状素材で形成されている。支持部材１４は、長手方向の両端部が半円弧状になっている。この支持部材１４の長手方向一端側には、操作部としての摘み１５が設けられている。支持部材１４は、本体２の内部に配置し、摘み１５は本体２の外側に配置している。
図３（Ｂ）に示すように、摘み１５には回転軸１６が固定されている。この回転軸１６が身側シェル４を貫通して本体２の内部に入り込んでおり、シェル内側では、軸受１７を介して支持部材１４の貫通孔に通された上で抜け止めされている。この構成により、シェル外側に配された摘み１５を手で摘まんで回すと、支持部材１４が回転軸１６を支点として回動することになる。
【００２０】
摘み１５および支持部材１４のセットは、持ち手６の両側に一つずつ配されている。
支持部材１４は、横に寝かせると、身側シェル４側に収まった状態となり、蓋側シェル３側に立たせると、その縁部３ａと身側シェル４の縁部４ａを跨ぎ、これらの縁部３ａ、４ａと垂直に交差した状態となる。前者の状態が退避姿勢として、後者の状態が持上げ姿勢として利用される。
【００２１】
図２で符号１８は当接部材を示し、この当接部材１８もプラスチック等の素材で形成されている。当接部材１８は、断面が逆凹状になっており、左右両側と下側が開放されている。その天部１８ａの上面は平らになっており、一対の側部のうち被取付け部１８ｂの外面は平らになっているが、残りの側部１８ｃは被取付け部１８ｂよりも下方に延長しており、その延長部分は傾斜して外方に開いている。
当接部材１８は、被取付け部１８ｂが蓋側シェル３のシェル内面に固定されており、支持部材１４が回動すると、左右両側と下側の開放部分を通って入り込み、支持部材１４が持上げ姿勢になったときには、支持部材１４の頂部１４ａが天部１８ａの下面に最接近するように位置決めされている。
【００２２】
沈み込み防止機構は上記したように構成されており、この機構の作用を、ファスナー７を閉じる作業に関連付けて説明する。
摘み１５を回して退避姿勢（図３（Ａ）の一点鎖線）から支持部材１４を当接部材１８の天部１８ａの直下にもってきて持上げ姿勢（図３（Ａ）の点線）に変える。支持部材１４は頂部１４ａを含めて両端部が円弧状で先端にいくほど小さくなっているので、余計なものに引っ掛ったりせずスムーズに回動できる。
その後に、蓋側シェル３を身側シェル４側に倒して折り畳み、それぞれの縁部３ａ、４ａを合わせると、側部１８ｃの傾斜に沿って支持部材１４の頂部１４ａが当接部材１８の天部１８ａ側にガイドされ、その下面に当接する。従って、蓋側シェル３側の重みが当接部材１８を介して支持部材１４に掛かるので、支持部材１４が蓋側シェル３の重みを支えることになる。
【００２３】
支持部材１４は剛性なので、変形せずに蓋側シェル３の縁部３ａを持上げるので、その縁部３ａの沈み込みが阻止され、そこに取り付けられたテープ８ａが下がらない。従って、その下端にあるエレメント９ａが身側シェル４側のエレメント９ｂと突合せ状態となる。
支持部材１４は持ち手６側の二箇所に間隔をあけて配されており、この二箇所で蓋側シェル３を支持することで、エレメント９ａ、９ｂの突合せ状態が持ち手６側の閉じ面をカバーする。持ち手６側の閉じ面が最も縁部３ａが沈み込み易い箇所なので、ここで突合せ状態を強制的に作り出したことで、ファスナー７の縁部全体にわたってのスムーズな移動が可能となる。
従って、スライダー１０を図３（Ａ）の矢印に示す噛合方向に移動すれば、ファスナー７はスムーズに閉じていく。
ファスナー７を開いて蓋側シェル３と身側シェル４を展開する場合には、支持部材１４を退避姿勢にすれば、縁部４ａから突出して邪魔になることはない。
【００２４】
次に、本発明の第２の実施の形態に係る沈み込み防止機構を図面にしたがって説明する。
第１の実施の形態で示したものと同じファスナー式スーツケースに付設されており、図面中、第１の実施の形態と同じ構成部分は同じ符号を付すことで説明を省略する。
図４は第１の実施の形態の図３に対応する部分の一部変更図面になっている。図中符号１９は支持部材を示し、支持部材１４と同じ素材で形成され、同様な形状となっている。但し、支持部材１４より一回り小さくなっている。
蓋側シェル３の縁部３ａの縁端より若干内方に縫着部分があるので、縫着されたテープ８ａとシェル取付け側のカバー片１１ａとの間を開けば凹状部分２０ａが形成され、身側シェル４でも同様な位置に縫着部分があるので、縫着されたテープ８ｂとシェル取付け側のカバー片１１ｂとの間を開けば凹状部分２０ｂが形成される。凹状部分２０ａと凹状部分２０ｂは対向して開口している。
【００２５】
支持部材１９の長手方向一端側が基端部１９ａとなっており、その基端部１９ａが凹状部分２０ｂに差し込まれている。基端部１９ａには貫通孔１９ｂが形成されている。符号２１は軸を示し、この軸２１に貫通孔１９ｂが通されている。軸２１は貫通孔１９ｂの両側で延びており、その一端側は、身側シェル４の縁部４ａを含む縁部三層部分（カバー片１１ｂ〜身側シェル４の縁部４ａ〜カバー片１１ｂ）を貫通しており、他端側はテープ８ｂを貫通している。軸２１の両端部は拡径されて抜け止めされおり、この取付け構造により、支持部材１９が軸２１を支点として回動自在になっている。
【００２６】
この支持部材１９は、第１の支持部材１４に代えて同じ二箇所に設けられており、回動させることで、同様な持上げ姿勢と退避姿勢を取らせることができる。
持上げ姿勢では、支持部材１９の頂部１９ｃが蓋側シェル３側の凹状部分２０ａに入り込むので、そこが当接部として働く。退避姿勢では、支持部材１９の略全体が身側シェル４側のテープ８ｂとカバー片１１ｂとの間に収められる。
この実施の形態では、支持部材１９を小さく設計でき、当接部はファスナー７側の既存の構造を利用しているので、沈み込み防止機構を簡易に構築できる。
【００２７】
次に、本発明の第３の実施の形態に係る沈み込み防止機構を図面にしたがって説明する。
第１の実施の形態で示したものと同じファスナー式スーツケースに付設されており、第２の実施の形態と同じ構成部分を有するので、図面中、同じ構成部分は同じ符号を付すことで説明を省略する。
図５は第２の実施の形態の図４の一部変更図面になっている。
図中符号２２は支持部材を示し、支持部材１９と同じ素材で略同じ形状になっているが、若干大きくなっている。
蓋側シェル３の縁部３ａの縫着部分より若干内方にカバー片１１ａの折り返し部分があるので、縫着されたテープ８ａと延出側のカバー片１１ａとの間を開けば凹状部分２３ａが形成され、身側シェル４でも同様な位置に縫着部分があるので、縫着されたテープ８ｂと延出側のカバー片１１ｂとの間を開けば凹状部分２３ｂが形成される。凹状部分２３ａと凹状部分２３ｂは対向して開口している。
【００２８】
この実施の形態では、第２の実施の形態の凹状部分２０ａと凹状部分２０ｂに代わり、凹状部分２３ａと凹状部分２３ｂが利用されている。支持部材２２の長手方向一端側が基端部２２ａとなっており、軸２４が貫通孔２２ｂに通されて回動自在となっている。また、反対側が頂部２２ｃになっている。
支持部材２２を指で摘まんで回動させることで持上げ姿勢と退避姿勢とに変更できる。
この支持部材２２は、第２の実施の形態の支持部材１９よりも大きく設定できるので、その分だけ、蓋側シェル３を持上げ支持する力も強くなっている。また、支持部材２２に重なる部分のエレメント９ａ、９ｂを噛合させる際には、支持部材を退避姿勢にすればよいので、噛合の邪魔になることもない。
【００２９】
次に、本発明の第４の実施の形態に係る沈み込み防止機構を図面にしたがって説明する。
第３の実施の形態で示したものと同じファスナー式スーツケースに利用されており、図面中、第３の実施の形態と同じ構成部分は同じ符号を付すことで説明を省略する。
図６で符号２５は専用の支持部材を示し、この支持部材２５は第３の実施の形態に係る支持部材２２と同じ素材で形成されており、略同じ全体形状を有している。この支持部材２５の長手方向一端側には貫通孔２５ａが形成されている。支持部材２５の貫通孔２５ａには紐２６が通されており、この紐２６がスーツケース１の持ち手６に取り付けられている。
【００３０】
この支持部材２５は紐２６を解くことで持ち手６から外すことができ、外した後は、支持部材２５を、第３の実施の形態の支持部材２２と同様に、その長手方向両端部を凹状部分２３ａと凹状部分２３ｂに差し込めば、同様な持上げ姿勢が作られる。
この実施の形態では、スーツケースに対応する専用の支持部材２５を準備するだけで済み、既存のスーツケースをそのまま利用し続けることができる。
【００３１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では支持部材として長手方向の両端部が半円弧状に形成された長方形の板状のものを示したが、本発明はこれに限定されず、支持部材を平面視が円形、楕円形、三角形の板状等、他の形状としてもよい。
また、第４の実施の形態では、支持部材を紐で持ち手に取り付けるようにしたが、本発明はこれに限定されるものではなく、スーツケース内に入れておくなどしてもよい。
【符号の説明】
【００３２】
１…ファスナー式スーツケース      ２…本体      ３…蓋側シェル
３ａ…蓋側シェルの縁部      ４…身側シェル      ４ａ…身側シェルの縁部
５…キャスター      ６…持ち手      ７…ファスナー
８ａ、８ｂ…テープ      ９ａ、９ｂ…エレメント      １０…スライダー
１１ａ、１１ｂ…カバー片      １２…糸      １３ａ、ｂ…覆い部
１４…支持部材（第１の実施の形態）      １４ａ…頂部
１５…摘み      １６…回転軸      １７…軸受      １８…当接部材
１８ａ…天部      １８ｂ…被取付け部      １８ｃ…側部
１９…支持部材（第２の実施の形態）      １９ａ…基端部
１９ｂ…貫通孔      １９ｃ…頂部      ２０ａ、ｂ…凹状部分      ２１…軸
２２…支持部材（第３の実施の形態）      ２２ａ…基端部
２２ｂ…貫通孔      ２２ｃ…頂部      ２３ａ、ｂ…凹状部分      ２４…軸      
２５…専用の支持部材（第４の実施の形態）      ２５ａ…貫通孔      
２６…紐
【図１】
2015223205.tif 000003
【図２】
2015223205.tif 000004
【図３】
2015223205.tif 000005
【図４】
2015223205.tif 000006
【図５】
2015223205.tif 000007
【図６】
2015223205.tif 000008
【図７】
2015223205.tif 000009